(57)【要約】【課題】安定した情報処理を実施可能なディスクカメラレコーダを提供する。【解決手段】ディスクカメラレコーダは、光ディスクＤの径方向に沿って移動可能で光ディスクＤの記録面に対して所定の情報処理動作を実施する光ピックアップ２２０と、衝撃による加速度により所定方向に回動する錘部２４２と、この錘部２４２の移動により、光ピックアップ２２０に一体的に設けられるレール２２３Ｂに当接して移動を規制するストッパ２４３と、を具備した。【選択図】図２
2008165877.tif 000002
【特許請求の範囲】
【請求項１】
記録媒体を保持する保持手段に保持された記録媒体の情報を読み込む読込処理および前記記録媒体に情報を書き込む書込処理のうち少なくともいずれか一方の処理を実施する情報処理部を備えるとともに、前記保持手段に保持された前記記録媒体に対して相対移動可能に設けられる移動部と、
衝撃を検知する衝撃検知手段と、
前記衝撃検知手段にて衝撃が検知された際に、前記移動部の移動を規制するブレーキ部と、
を具備したことを特徴とした記録媒体駆動装置。
【請求項２】
請求項１に記載の記録媒体駆動装置であって、
前記衝撃検知手段は、前記移動部の移動により所定方向に移動可能な錘部であり、
前記ブレーキ部は、前記錘部の移動により前記移動部側に付勢されて前記移動部の移動を規制する規制部である
ことを特徴とした記録媒体駆動装置。
【請求項３】
請求項２に記載の記録媒体駆動装置であって、
前記移動部は、移動方向に長手となるレールを備え、
前記規制部は、前記錘部の移動により前記レールに当接し、前記移動部の移動を規制する
ことを特徴とした記録媒体駆動装置。
【請求項４】
請求項３に記載の記録媒体駆動装置であって、
前記レールに対向するとともに、このレールを前記移動部の移動方向に案内する案内部を備え、
前記規制部は、前記レールの前記案内部と反対側に対向して設けられ、前記錘部の移動により前記レールを前記案内部側に付勢する
ことを特徴とした記録媒体駆動装置。
【請求項５】
請求項３または請求項４に記載の記録媒体駆動装置であって、
前記錘部は、前記レールの長手方向前記移動方向に交差する方向に延出して、回動自在に設けられ、
前記規制部は、前記錘部に一体的に設けられるとともに、前記錘部が回動していない状態で前記レールに対して略平行に設けられ、前記錘部の回動により回動方向に移動して前記レールに当接する
ことを特徴とした記録媒体駆動装置。
【請求項６】
請求項５に記載の記録媒体駆動装置であって、
前記規制部が前記レールから離隔する方向に前記錘部を付勢する付勢手段を備えた
ことを特徴とした記録媒体駆動装置。
【請求項７】
請求項１に記載の記録媒体駆動装置であって、
前記衝撃検知手段は、前記移動部の加速度を検知して、前記移動部の加速度が所定値以上である場合に衝撃を加えられたと検知する
ことを特徴とした記録媒体駆動装置。
【請求項８】
請求項１ないし請求項７のいずれかに記載の記録媒体駆動装置であって、
電圧印加手段から所定の駆動電圧を印加されることで前記移動部を所定方向に移動させるとともに、前記情報処理部にて前記処理が実施されている状態で、前記電圧印加手段からの電圧印加が停止される駆動手段を備えた
ことを特徴とした記録媒体駆動装置。
【請求項９】
請求項８に記載の記録媒体駆動装置であって、
前記駆動手段は、所定の駆動パルス電圧により駆動させるステッピングモータである
ことを特徴とした記録媒体駆動装置。
【請求項１０】
ディスク状の記録媒体を保持する保持手段と、
前記保持手段に保持された前記記録媒体に記録された情報を読み込む読込処理および前記記録媒体に情報を書き込む書込処理のうち少なくともいずれか一方の処理を実施する情報処理部と、
請求項１ないし請求項９のいずれかに記載の記録媒体駆動装置と、
を具備したことを特徴としたディスク装置。
【請求項１１】
レンズを有する撮像部と、
この撮像部にて取得した撮像データを前記記録媒体に記録する請求項１０に記載のディスク装置と、
を具備したことを特徴とした撮像装置。
【発明の詳細な説明】
【技術分野】
【０００１】
本発明は、記録媒体に所定の処理を実施する記録媒体駆動装置、ディスク装置、および撮像装置に関する。
【背景技術】
【０００２】
従来、所定位置に保持された記録媒体に対して相対的に移動可能に設けられ、記録媒体に対して所定の処理を実施するピックアップ機構を有する記録媒体処理装置が知られている（例えば、特許文献１参照）。
【０００３】
この特許文献１に記載のものは、ディスクを載置して一定速度で回転駆動させるターンテーブルと、ディスクにレーザ光を射出するとともに、反射光を受光して所定の処理を実施するピックアップと、ディスクからの反射光に基づいてフォーカスエラー信号、トラッキングエラー信号を生成するＲＦアンプと、データを蓄積するバッファメモリと、振動や衝撃を検出するＧセンサなどを備えたディスク装置である。このディスク装置では、ＲＦアンプからフォーカスエラー信号、トラッキングエラー信号が出力されたり、Ｇセンサで振動や衝撃を検出したりすると、システムコントローラに対して割込信号を出力する。そして、ピックアップからのレーザ光の出力、およびバッファメモリの読出しを停止し、バッファメモリのオーバーフローが検出されると、バッファメモリに記録されたデータの一部に選択的にオーバーフロー発生後の情報を上書きする処理を実施する構成が採られている。
【０００４】
【特許文献１】特開２００２−２９８４９６号公報
【発明の開示】
【発明が解決しようとする課題】
【０００５】
ところで、近年、ディスク装置のピックアップを移動させる機構として、移動精度が良好なステッピングモータを用いる構成が知られている。また、ディスク装置の省電力化などのために、ピックアップ移動時以外では、ステッピングモータへの電圧印加が停止することが一般的である。しかしながら、上記特許文献１のような従来の構成で、ピックアップの移動にステッピングモータを用いた場合、ステッピングモータへの電力供給が停止されているため、振動や衝撃が加わった際に、衝撃などによりピックアップが所定の書き込み位置から移動してしまうおそれがある。このようにピックアップが移動してしまうと、次にディスクに所定の情報処理を実施する際に、ピックアップを元の位置に移動させる復帰動作が必要となり、この復帰動作時に動作音などが発生したり、復帰までの時間がかかったりして、安定した情報処理が実施できないという問題が一例として挙げられる。
【０００６】
本発明は、上記問題に鑑みて、安定した情報処理を実施可能な記録媒体駆動装置、ディスク装置、および撮像装置を提供することを1つの目的とする。
【課題を解決するための手段】
【０００７】
請求項１に記載の発明は、記録媒体を保持する保持手段に保持された前記記録媒体の情報を読み込む読込処理および前記記録媒体に情報を書き込む書込処理のうち少なくともいずれか一方の処理を実施する情報処理部を備えるとともに、前記保持手段に保持された前記記録媒体に対して相対移動可能に設けられる移動部と、衝撃を検知する衝撃検知手段と、前記衝撃検知手段にて衝撃が検知された際に、前記移動部の移動を規制するブレーキ部と、を具備したことを特徴とした記録媒体駆動装置である。
【０００８】
請求項１０に記載の発明は、ディスク状の記録媒体を保持する保持手段と、前記保持手段に保持された前記記録媒体に記録された情報を読み込む読込処理および前記記録媒体に情報を書き込む書込処理のうち少なくともいずれか一方の処理を実施する情報処理部と、請求項１ないし請求項９のいずれかに記載の記録媒体駆動装置と、を具備したことを特徴としたディスク装置である。
【０００９】
請求項１１に記載の発明は、レンズを有する撮像部と、この撮像部にて取得した撮像データを前記記録媒体に記録する請求項１０に記載のディスク装置と、を具備したことを特徴とした撮像装置である。
【発明を実施するための最良の形態】
【００１０】
以下、本発明に係る一実施の形態に係る撮像装置としてのディスクカメラレコーダを図面に基づいて説明する。
図１は、本発明の一実施の形態に係るディスクカメラレコーダの概略を示す斜視図である。図２は、第一の実施の形態におけるディスク処理部の内部構成の一部を示す平面図である。
【００１１】
〔ディスクカメラレコーダの構成〕
図１において、１は、本発明の一実施の形態に係る撮像装置としてのディスクカメラレコーダであり、このディスクカメラレコーダ１は、動画情報、音声情報、画像情報などの各種情報を録画して記録媒体としての光ディスクＤに記録したり、光ディスクＤに記録された各種情報を再生したりする装置である。このディスクカメラレコーダ１に利用できる光ディスクＤとしては、例えばＣＤ(Compact Disc)、ＤＶＤ(Digital Versatile Disc)、ＢＤ(Blu-ray Disc)などの各種ディスク状記録媒体が利用できる。
このディスクカメラレコーダ１は、外部ケース１１と、撮影レンズ１２と、撮影窓１３と、記録媒体駆動装置としてのディスク処理部２０と、外部ケース１１の内部に設けられる図示しない制御回路部と、図示しないコントローラ部と、図示しない小型ディスプレイと、などを備えている。
【００１２】
外部ケース１１は、内部空間を有する箱状に形成されている。この外部ケース１１の各面には、それぞれ内部と外部とを連通する窓部が形成され、この窓部に臨んで前述した撮影レンズ１２、撮影窓１３、コントローラ部およびディスク処理部２０が設けられている。
【００１３】
撮影レンズ１２は、外部ケース１１の前面の窓部に臨んで設けられている。この撮影レンズ１２は、外部の画像光を取り込む。ここで取り込まれた画像光は、図示しない画像変換処理部にて画像信号に変換され、外部ケース１１内部の制御回路部に入力される。
【００１４】
撮影窓１３は、外部ケース１１の背面の窓部に臨んで設けられている。この撮影窓１３は、例えば光学的に撮影レンズ１２に接続されており、この撮影窓１３から撮影レンズ１２に取り込まれる外部画像を確認することが可能となる。
【００１５】
コントローラ部は、例えば外部ケース１１の天面、背面、および側面に配置される複数の操作ボタンを備えている。これらの操作ボタンはそれぞれ外部ケース１１内部の制御回路部に電気的に接続されており、これらの操作ボタンを操作することで所定の操作信号を制御回路部に出力する。
【００１６】
小型ディスプレイは、外部ケース１１のディスク処理部２０が設けられた側面とは反対側面に、外部ケース１１に対して回動可能に設けられている。この小型ディスプレイは、外部ケース１１内部の制御回路部に電気的に接続され、制御回路部から出力される各種画像情報を表示させる。
【００１７】
ディスク処理部２０は、外部ケース１１の一側面に設けられている。このディスク処理部２０は、外部ケース１１の一側面から突出開口するディスク設置部２１に設置されている。また、ディスク処理部２０の外装部には、カバー２２が設けられ、このカバー２２には、ディスク処理部２０の内部に光ディスクＤを挿入可能なスリット２２Ａが設けられている。ディスク処理部２０の内部における詳細な説明は後述する。
【００１８】
制御回路部は、ディスクカメラレコーダ１全体の動作を制御する。この制御回路部は、ディスクカメラレコーダ１の全体的な動作を制御する各種処理を実施する。
具体的には、制御回路部は、例えば各種電気部品が搭載された回路基板に回路構成として構成されている。そして、制御回路部は、例えば、画像変換部における撮影レンズ１２から取り込まれた画像光を画像信号に変換する処理、小型ディスプレイから画像情報を出力させる処理、画像信号を光ディスクＤに記録する処置などを実施する各種プログラムを備えている。
【００１９】
〔ディスク処理部の構成〕
次に、ディスク処理部２０の内部構成について、図２に基づいて説明する。
ディスク処理部２０は、着脱可能に装着されるディスク状記録媒体としての円板状の光ディスクＤにおける少なくとも一面に設けられた図示しない記録面に記録された情報を読み出す情報処理である読取処理、および記録面へ各種情報を記録する情報処理である記録処理を実施する。
そして、ディスク処理部２０は、スリット２２Ａから挿入された光ディスクを搬送する図示しない搬送部と、スリット２２Ａから挿入された光ディスクＤを回転可能に保持して、所定の情報処理を実施するディスク処理機構２００と、などを備えている。
【００２０】
搬送部は、開口部を介してケース体の内外に光ディスクＤを搬送する。この搬送部は、例えば制御回路部に接続され、開口部に光ディスクＤの一部が挿入されたことを検出すると、例えば図示しないローラが回転して光ディスクＤをケース体内にディスク処理機構２００にて処理可能な位置まで搬送する。
また、搬送部は、例えばイジェクトボタンの操作など、ケース体内に装着されている光ディスクＤの排出を要求する旨の信号を制御回路部が認識すると、この制御回路部の制御によりディスク処理機構２００に処理可能に保持されている光ディスクＤを例えば図示しないローラの回転により開口部を介してケース体外へ搬送する。
【００２１】
ディスク処理機構２００は、図２に示すように、台座部２０１を有している。台座部２０１は、ケース体内に配設されている。そして、台座部２０１には、回転可能に支持された回転子とともに回転駆動手段２１０が配設されている。
【００２２】
回転駆動手段２１０は、台座部２０１に配設された図示しないスピンドルモータと、このスピンドルモータの出力軸に一体的に設けられた図２に示す保持手段としてのターンテーブル２１１と、を備えている。
スピンドルモータは、制御回路部に制御可能に接続され、制御回路部から供給される電力により駆動する。このスピンドルモータは、最高回転数が例えば４５００ｒｐｍ〜５６００ｒｐｍで、制御回路部により、任意の回転数で回転可能に制御されている。
ターンテーブル２１１は、光ディスクＤの中心に開口形成された図示しない軸孔に嵌挿して軸支する軸支部である略円柱状の回転軸２１１Ａと、この回転軸２１１Ａの外周面にフランジ状に突設され光ディスクＤの軸孔の周縁が載置されて支持する鍔部２１１Ｂと、を備えている。そして、ターンテーブル２１１は、台座部２０１が回動されることで、光ディスクＤを挾持する。この挾持された光ディスクＤは、スピンドルモータの駆動により回転するターンテーブル２１１および挾持する回転子とともに回転される。
【００２３】
また、台座部２０１には、移動部としての光ピックアップ２２０を移動させる移動手段２３０が配設されている。この移動手段２３０は、一対の軸部材としてのガイドシャフト２３１および駆動手段としてのステッピングモータ２３２を備えている。
そして、一対のガイドシャフト２３１は、例えば金属製の細長棒状に形成され、台座部２０１に略平行に配設されている。
また、ステッピングモータ２３２は、制御回路部に制御可能に接続され、制御回路部から供給される電力により駆動する。そして、ステッピングモータ２３２の図示しない出力軸には、例えば金属製の細長棒状のリードスクリュ２３２Ａが同軸上に一体に連結されている。このリードスクリュ２３２Ａの外周面には、螺旋状に係合溝２３２Ｂが設けられている。
また、このステッピングモータ２３２は、光ピックアップ２２０にて光ディスクＤに所定の情報処理操作が実施されている状態では、制御回路部からの電力供給が停止される。これにより、光ピックアップ２２０を移動させない状態では、ステッピングモータ２３２に印加させる電圧がセーブされ省電力化が促進される。
【００２４】
そして、一対のガイドシャフト２３１には、光ピックアップ２２０が移動可能に支持されている。光ピックアップ２２０は、一対のガイドシャフト２３１間に架橋する状態で保持される保持部２２１を備えている。
この保持部２２１には、移動手段２３０のリードスクリュ２３２Ａの係合溝２３２Ｂに係合する図示しない移動規制爪部が設けられている。そして、光ピックアップ２２０は、保持部２２１に配設された、図示しない光源と、この光源からの光を光ディスクＤに照射させる対物レンズ２２２Ａを有する図示しない複数の光学素子と、光ディスクＤから反射された光を検出する図示しない光センサなどを有している。なお、これらの光源、対物レンズ２２２Ａ、光学素子、および光センサにより本発明の情報処理部が構成される。この光ピックアップ２２０は、制御回路部に信号を送受信可能に接続され、制御回路部の制御により、光ディスクＤの記録面に記録された各種情報を読み取って制御回路部へ出力する読取処理や、制御回路部からの各種情報を記録面に記録する記録処理を実施する。
【００２５】
また、保持部２２１には、例えばアルミなどの金属により形成され、対物レンズ２２２Ａから離隔する方向（例えば、本実施の形態では、リードスクリュ２３２Ａ側）に延出するレール部２２３が設けられている。このレール部２２３は、レール基部２２３Ａと、レール２２３Ｂとを備えている。
レール基部２２３Ａは、例えば光ピックアップ２２０の移動方向に対して略直交する方向に長手となる略板状に形成され、保持部２２１に例えばねじ止めなどにより固定されている。
レール２２３Ｂは、例えばレール基部２２３Ａの延出先端部から一方の台座部２０１側に折り曲げ形成され、面方向が光ディスクＤの載置面に対して略直交するとともに、光ピックアップ２２０の移動方向と略平行する長手状に形成されている。
【００２６】
また、一方の台座部２０１には、光ピックアップ２２０のレール２２３Ｂを、光ピックアップ２２０の移動方向にガイドする案内部としてのガイド部２０１Ａが設けられている。
このガイド部２０１Ａは、台座部２０１の一端縁からレール２２３Ｂに向かって突出し、レール２２３Ｂの一面に対向して設けられている。そして、ガイド部２０１Ａのレール２２３Ｂとの対向面は、レール２２３Ｂの一面に当接してレール２２３Ｂの移動方向を規制している。
【００２７】
さらに、一方の台座部２０１には、衝撃による光ピックアップ２２０の移動を防止するカウンター部２４０が設けられている。
このカウンター部２４０は、軸部２４１と、衝撃検知手段としての錘部２４２と、ブレーキ部を構成する規制部としてのストッパ２４３と、などを備えている。
【００２８】
軸部２４１は、一端部が台座部２０１の一端縁に回動自在に軸支されている。この軸部２４１は、図２に示すように、ディスクカメラレコーダ１に衝撃を加えられていない状態で、後述の付勢手段２５０により付勢され、レール２２３Ｂに対して略直交する角度が維持される。
【００２９】
錘部２４２は、軸部２４１の他方端に一体的に設けられている。この錘部２４２は、例えば光ディスクＤの載置面と略平行する面方向を有する略円盤状に形成されている。そして、錘部２４２は、例えばディスクカメラレコーダ１に衝撃が加えられるなどして所定の加速度が発生すると、衝撃による応力により所定方向に力を受け、軸部２４１を所定方向に回動させる。
【００３０】
ストッパ２４３は、軸部２４１の略中央部に設けられ、レール２２３Ｂのガイド部２０１Ａが対向する一面とは反対側となる面側に対向する状態で設けられている。このストッパ２４３は、ディスクカメラレコーダ１に衝撃が加えられていない状態、すなわち錘部２４２が回動していない状態では、レール２２３Ｂの長手方向と略平行して、レール２２３Ｂに接触しない状態で設けられている。そして、ストッパ２４３は、ディスクカメラレコーダ１に衝撃が加えられて、錘部２４２および軸部２４１が所定方向に回動すると、レール２２３Ｂに当接して、レール２２３Ｂをガイド部２０１Ａ側に付勢する。これにより、ストッパ２４３は、レール２２３Ｂをガイド部２０１Ａとの間で挟み込み、摩擦力によりレール２２３Ｂの移動を規制する。これにより、光ピックアップ２２０の移動が規制される。
【００３１】
付勢手段２５０は、一方の台座部２０１に一体的に設けられている。この付勢手段２５０は、光ディスクＤの載置面に対して略平行し、かつカウンター部２４０の軸部２４１に略直交する状態で設けられている。そして、この付勢手段２５０は、軸部２４１を挟み込んで一対のばね２５１が設けられ、これらのばね２５１により軸部２４１がレール２２３Ｂに対して略直交する状態に付勢される。
【００３２】
〔ディスクカメラレコーダの動作〕
次に、上記ディスクカメラレコーダ１の動作における衝撃時のピックアップ静止動作について説明する。
【００３３】
まず、ディスクカメラレコーダ１の電源の投入により、ディスクカメラレコーダ１に電力が供給される。そして、ディスクカメラレコーダ１のスリット２２Ａから光ディスクＤが挿入されると、制御回路部は搬送部を制御して光ディスクＤをディスク処理部２０内部に搬入し、ターンテーブル２１１上に保持させる。
【００３４】
この後、制御回路部は、例えば利用者によりコントロール部が操作されるなどして、光ディスクＤに撮影レンズ１２から取り込んで画像信号に変換された画像情報などを記録する記録要求信号、光ディスクＤから所定の情報を読み込んで小型ディスプレイに表示させる再生要求信号が設定入力されると、ディスク処理機構２００に情報処理動作を実施させる。
具体的には、制御回路部は、回転駆動手段２１０を制御して、光ディスクＤを所定回転速度で回転させる。また、制御回路部は、ステッピングモータ２３２に所定の駆動パルス電圧を印加して、光ディスクDの記録面における情報処理の対象アドレス位置に対物レンズ２２２Ａが対向する状態に、光ピックアップ２２０を移動させる制御をする。
また、制御回路部は、対物レンズ２２２Ａから所定の光が射出され、光ディスクDに情報を書き込む書込み処理および光ディスクDの情報を読み込む読込処理のうち少なくともいずれか一方の情報処理操作が実施されている状態で、ステッピングモータ２３２への電圧印加を停止させる制御をする。
【００３５】
この状態で、例えばディスクカメラレコーダ１が外部からの衝撃を受けるなどすると、光ピックアップ２２０に所定方向に力が作用する。この時、カウンター部２４０の錘部２４２も同様に、所定方向に力が作用し、軸部２４１が衝撃による加速度が加わった方向に回動する。そして、軸部２４１に一体的に設けられるストッパ２４３も軸部２４１の回動方向に移動し、レール部２２３のレール２２３Ｂをガイド部２０１Ａ側に付勢する。これにより、レール２２３Ｂは、ストッパ２４３およびガイド部２０１Ａに挟持されて、移動が規制され、レール２２３Ｂと一体的に設けられる光ピックアップ２２０も移動が規制される。
【００３６】
〔ディスクカメラレコーダの作用効果〕
上述したように、上記第一の実施の形態のディスクカメラレコーダ１では、光ディスクＤの径方向に沿って移動可能で光ディスクＤの記録面に対して所定の情報処理動作を実施する光ピックアップ２２０と、衝撃による加速度により所定方向に回動する錘部２４２と、この錘部２４２の移動により、光ピックアップ２２０に一体的に設けられるレール２２３Ｂに当接して移動を規制させるストッパ２４３と、を備えている。
このため、ディスクカメラレコーダ１に衝撃が加わった場合、錘部２４２に衝撃方向に応じた応力が加わって、軸部２４１が回動すると、軸部２４１と一体的に設けられるストッパ２４３も回動し、レール２２３Ｂがストッパ２４３とガイド部２０１Ａに挟まれて移動が規制される。したがって、レール２２３Ｂに一体的に設けられる光ピックアップ２２０も移動が規制され、衝撃による加速度が作用したとしても、位置ずれを防止することができる。よって、衝撃が加わった場合でも、光ピックアップ２２０が位置ずれせず、光ディスクＤの情報処理動作を継続することができ、安定した情報処理動作を実施することができる。
【００３７】
また、錘部２４２の移動によりストッパ２４３でレール２２３Ｂを規制させてレール２２３Ｂの移動を規制している。
このため、錘部２４２を回動自在に設けるだけの簡単な構成で、容易に光ピックアップ２２０の移動を規制することができる。従って、例えばステッピングモータ２３２の制御やソフトウェアでの制御などを用いる必要がなく、簡単な構成で光ピックアップ２２０の位置ずれを防止することができる。
【００３８】
さらに、レール２２３Ｂをストッパ２４３とガイド部２０１Ａで挟み込んでレール２２３Ｂの移動を規制するため、衝撃時におけるレール２２３Ｂの移動をより確実に規制することができ、光ピックアップ２２０の移動を確実に規制することができる。
【００３９】
そして、付勢手段２５０により、カウンター部２４０は、軸部２４１がレール２２３Ｂに対して略直交する状態となるように付勢されている。
このため、衝撃が加わっていない状態では、軸部２４１が回動せず、ストッパ２４３とレール２２３Ｂとが略平行する状態を維持することができる。したがって、非衝撃時では、ステッピングモータ２３２による光ピックアップ２２０の移動が規制されず、良好に光ピックアップ２２０を移動させて情報処理動作を実施することができる。
【００４０】
さらに、ステッピングモータ２３２は、光ピックアップ２２０にて光ディスクＤに所定の情報処理動作を実施している状態では、制御回路部からの電圧印加が停止されている。
このため、光ピックアップ２２０を移動させない状態では、ステッピングモータ２３２へ供給する電力が停止される。特に、ディスクカメラレコーダ１のような、ディスク処理部２０を備えた携帯型電気機器では、一般にバッテリにより電力を供給するため、電力の供給量が限られるが、このような場合でも、上記のように光ピックアップ２２０の非移動時では、ステッピングモータ２３２の電力供給が停止されるため、省電力化を促進することができ、バッテリを長時間持続させることができる。また、このように、省電力化のためにステッピングモータ２３２への電力供給を停止させる構成では、ホールドトルクが発生しないため、衝撃により光ピックアップ２２０が移動しやすい状態となるが、上記のように、カウンター部２４０を回動させて、ストッパ２４３およびガイド部２０１Ａでレール２２３Ｂを挟み込んで光ピックアップ２２０の移動を規制できるので、衝撃による光ピックアップ２２０の位置ずれを効果的に防止することができる。
【００４１】
〔他の実施の形態〕
なお、本発明は、上述した各実施の形態に限定されるものではなく、本発明の目的を達成できる範囲で以下に示される変形をも含むものである。
【００４２】
例えば、上記実施の形態では、撮像手段にて撮像した撮像画像などを、光ディスクＤに記録し、光ディスクＤに記録された情報を再生するディスクカメラレコーダ１を例示したが、これに限られず、情報の読み出しあるいは記録のみでもよい。
【００４３】
また、ディスクカメラレコーダ１に限られず、例えばノート型パーソナルコンピュータなどに搭載可能な薄型ディスクドライブ装置や、デスクトップ型パーソナルコンピュータに搭載されるディスクドライブ装置、車両などに搭載されるディスク装置、携帯型ＣＤ再生装置や、ＤＶＤ再生装置、ゲーム機や映像データの録画などの記録や再生のための処理をする再生装置などの単体の構成などに適用されるものであってもよい。
【００４４】
さらに、記録媒体として、光ディスクＤに限らず、磁気ディスク、光磁気ディスクなどのいずれのディスク状記録媒体を対象とすることができ、さらには、これらのディスクがカートリッジなどに格納されたカートリッジタイプのディスクにも適用することができる。
【００４５】
さらには、スリット２２Ａから光ディスクＤを挿入する、いわゆるスロットインタイプのディスク処理部２０を示したが、例えばトレイに一体的に光ピックアップ２２０が配設されるディスク処理機構２００に適用されてもよい。
【００４６】
そして、上記実施の形態では、カウンター部２４０は、略円盤状の錘部２４２を有し、この錘部２４２に作用する加速度により軸部２４１が回動する構成としたが、例えば図３に示すような構成としてもよい。
図３において、カウンター部２４０Ａは、一端部が台座部２０１に回動自在に軸支される軸部２４１と、この軸部の他端部に一体的に設けられる錘ストッパ２４３Ａとを備えている。この錘ストッパ２４３Ａは、例えば上記実施の形態の錘部２４２と略同等の質量を有し、衝撃による加速度の作用を受けることで、所定方向に回動する。
このような構成でも上記実施の形態を同様に、ストッパ２４３Ａとガイド部２０１Ａによりレール２２３Ｂを挟み込み、光ピックアップ２２０の移動を規制することができる。また、円盤状の錘部２４２を設ける場合に比べて、カウンター部２４０Ａを小型化することができる。したがって、ディスク処理機構２００およびディスクカメラレコーダ１の小型化にも貢献できる。
【００４７】
また、上記実施の形態では、付勢手段２５０は、図２に示すように、ストッパ２４３と錘部２４２との間に設けられる構成を示したが、図３に示すように、例えばレール２２３Ｂより台座部２０１側に設ける構成などとしてもよい。このような構成では、ディスク処理機構２００の小型化をより促進させることができ、ディスクカメラレコーダ１の小型化をも図ることができる。
【００４８】
また、台座部２０１に回動自在に設けられるカウンター部２４０の例に限られず、例えば図４に示すような構成としてもよい。
図４において、カウンター部２６０は、一端部が台座部２０１の端縁に固定される一対の支持部２６１と、これら支持部２６１の間に架橋されるカウンターシャフト２６２と、このカウンターシャフト２６２に沿って移動可能に設けられる錘部２６３とを備えている。また、一対の支持部２６１間には、支持台２６４が架橋され、この支持台２６４上に錘部２６３の移動方向に長手となるストッパ２６５が回動自在に設けられている。具体的には、このストッパ２６５は、長手方向の中心位置に回動中心軸２６５Ｂが設けられ、この回動中心軸２６５Ｂが支持台２６４の略中心位置に保持されることにより支持台２６４に回動自在に軸支されている。そして、このストッパ２６５の長手方向の両端側には、それぞれ錘部２６３の移動経路上に突出するテーパ部２６５Ａが設けられている。
そして、錘部２６３の移動経路上には、錘部２６３および支持部２６１の間に一対のばね２６６が設けられ、衝撃が加わっていない状態で錘部２６３が一対の支持部２６１間の略中心に位置するように付勢されている。
このようなカウンター部２６０では、衝撃により錘部２６３に所定の加速度が作用すると、錘部２６３が衝撃方向に応じてカウンターシャフト２６２に沿って移動する。これにより、錘部２６３は、ストッパ２６５のテーパ部２６５Ａを押し出し、ストッパ２６５が回動する。これにより、レール２２３Ｂがストッパ２６５およびガイド部２０１Ａに挟持されて移動が規制され、光ピックアップ２２０の位置ずれを防止することができる。
【００４９】
また、衝撃検知手段として、錘部２４２を用いる例を示したが、例えばディスクカメラレコーダ１に加速度センサを設け、制御回路部が加速度センサにより検出した加速度が所定値以上である場合に衝撃が加えられたと判断する構成などとしてもよい。このような構成では、制御回路部は、加速度センサから入力される加速度値により、ディスクカメラレコーダ１に衝撃が加えられたと判断すると、図示しないストッパを起動させて光ピックアップ２２０の移動を規制する。このストッパとしては、特に限定されず、例えば、上記実施の形態のカウンター部２４０を電気的に駆動させて回動させ、ストッパ２４３およびガイド部２０１Ａにてレール２２３Ｂを挟持して光ピックアップ２２０の移動を規制する構成や、図４に示すような錘部２６３を電気的に駆動させてカウンターシャフト２６２に沿って移動させる構成など、レール２２３Ｂをストッパおよびガイド部２０１Ａで挟持して移動規制させる構成が例示できる。また、その他リードシャフト２３２Ａの回転を規制する回転規制部を設け、制御回路部は、加速度センサから入力される信号に基づいて衝撃が加えられたことを認識すると、回転規制部を駆動させて光ピックアップ２２０の移動を規制する構成などとしてもよい。
【００５０】
また、レール２２３Ｂをガイド部２０１Ａおよびストッパ２４３で挟持して光ピックアップ２２０の位置ずれを防止する構成を示したが、例えば、ストッパ２４３の一面に例えばゴムシートを貼り付けるなどして、摩擦面を形成し、ストッパ２４３の摩擦面をレール２２３Ｂに当接させてレール２２３Ｂの移動を規制する構成などとしてもよい。この構成では、ガイド部２０１Ａが不要となり、より構成を簡単にすることができる。
【００５１】
また、上記実施の形態では、駆動手段としてステッピングモータ２３２を例示したが、例えば所定電圧を印加することで回転駆動するＤＣモータなどを用いてもよい。
【００５２】
その他、本発明の実施の際の具体的な構造および手順は、本発明の目的を達成できる範囲で他の構造などに適宜変更できる。
【００５３】
〔実施の形態の効果〕
上述したように、上記第一の実施の形態のディスクカメラレコーダ１では、光ディスクＤの径方向に沿って移動可能で光ディスクＤの記録面に対して所定の情報処理動作を実施する光ピックアップ２２０と、衝撃による加速度により所定方向に回動する錘部２４２と、この錘部２４２の移動により、光ピックアップ２２０に一体的に設けられるレール２２３Ｂに当接して移動を規制させるストッパ２４３と、を備えている。
このため、ディスクカメラレコーダ１に衝撃が加わった場合、錘部２４２に衝撃方向に応じた加速度が加わって、軸部２４１が回動すると、軸部２４１と一体的に設けられるストッパ２４３も回動し、レール２２３Ｂがストッパ２４３とガイド部２０１Ａに挟まれて移動が規制される。したがって、レール２２３Ｂに一体的に設けられる光ピックアップ２２０も移動が規制され、衝撃による加速度が作用したとしても、位置ずれを防止することができる。よって、光ピックアップ２２０による光ディスクＤの情報処理動作を安定して実施させることができる。
【図面の簡単な説明】
【００５４】
【図１】本発明の一実施の形態に係るディスクカメレレコーダの概略を示す斜視図である。
【図２】前記第一の実施の形態におけるディスク処理部の内部構成の一部を示す平面図である。
【図３】他の実施の形態におけるディスク処理部の内部構成の一部を示す平面図である。
【図４】さらに他の実施の形態におけるディスク処理部の内部構成の一部を示す平面図である。
【符号の説明】
【００５５】
Ｄ      …記録媒体としての光ディスク
１      …撮像装置およびディスク装置としてのディスクカメラレコーダ
１２    …撮影レンズ
２０    …記録媒体駆動装置としてのディスク処理部
２０１  …台座部
２０１Ａ…案内部としてのガイド部
２１１  …保持手段としてのターンテーブル
２２０  …移動部としての光ピックアップ
２２３Ｂ…レール
２３２  …駆動手段としてのステッピングモータ
２４２  …衝撃検知手段としての錘部
２４３  …ブレーキ部を構成する規制部としてのストッパ
２５０  …付勢手段
【図１】
2008165877.tif 000003
【図２】
2008165877.tif 000004
【図３】
2008165877.tif 000005
【図４】
2008165877.tif 000006